(57)【要約】【課題】必要に応じてＩＣカードを扱うことが可能な状態にアップグレードできるカードリーダを提供すること。【解決手段】カードリーダ１は、カード搬送路７を備えるカードリーダ本体２と、ＩＣカード１００のＩＣチップの接点端子１０２を検出する磁気センサユニット３を有する。カードリーダ本体２は、磁気センサユニット３が着脱可能に装着された装着部２０を備える。装着部２０は被係止部３３を備える。磁気センサユニット３は、磁気センサ２１と、センサホルダ４２を備える。磁気センサ２１はカード搬送路７の側を向くセンサ面２２および当該センサ面２２とは反対を向く反対面２３を備える。センサホルダ４２は、被係止部３３に係止される係止部６４と、磁気センサ２１が固定される固定部４３を備える。磁気センサ２１は、反対面２３を被う接着剤８８によって固定部４３に固定されている。【選択図】図３
2019066211.tif 000002
【特許請求の範囲】
【請求項１】
カードが搬送されるカード搬送路および当該カード搬送路に前記カードを挿入するためのカード挿入口を備えるカードリーダ本体と、
前記カード搬送路に挿入された前記カードのＩＣチップの接点端子を検出するための磁気センサユニットと、を有し、
前記カードリーダ本体は、前記磁気センサユニットが着脱可能に装着された装着部を備え、
前記装着部は、被係止部を備え、
前記磁気センサユニットは、前記カード搬送路の側を向くセンサ面および当該センサ面とは反対を向く反対面を備える磁気センサと、前記被係止部に係止される係止部および前記磁気センサが固定される固定部を備えるセンサホルダと、前記磁気センサを前記固定部に固定している接着剤と、を備え、
前記接着剤は、前記反対面を被っていることを特徴とするカードリーダ。
【請求項２】
前記磁気センサは、コア体と、第１励磁コイルと、第２励磁コイルと、検出コイルと、前記コア体、前記第１励磁コイル、前記第２励磁コイルおよび前記検出コイルを被う樹脂製のハウジングと、を備え、
前記コア体は、前記検出コイルが巻回されたコア中央部と、前記コア中央部から前記カード搬送路の側に突出して前記第１励磁コイルが巻回された第１コア端部と、前記コア中央部から前記カード搬送路とは反対の方向に突出して前記第２励磁コイルが巻回された第２コア端部と、前記第１コア端部における前記コア中央部とは反対側の第１端面と、前記第２コア端部における前記コア中央部とは反対側の第２端面と、を備え、
前記第１励磁コイルと前記第２励磁コイルとは、逆方向の磁界を発生させるように巻回され、
前記センサ面は、前記ハウジングにおいて前記第１端面と重なる面であり、
前記反対面は、前記ハウジングにおいて前記第２端面と重なる面であることを特徴とする請求項１に記載のカードリーダ。
【請求項３】
前記磁気センサユニットは、前記磁気センサが実装された回路基板を備え、
前記回路基板は、前記接着剤により前記固定部に固定されていることを特徴とする請求項１または２に記載のカードリーダ。
【請求項４】
前記装着部は、前記磁気センサユニットと前記カード搬送路との間に位置する底板部を備え、
前記センサユニットは、前記回路基板に取り付けられたシーリング材を備え、
前記回路基板は、前記カード挿入口が位置する側を向く基板表面と、前記カード挿入口とは反対の側を向く基板裏面と、を備え、
前記磁気センサは、前記基板表面に実装されて前記センサ面が前記底板部に当接し、
前記固定部は、前記基板裏面に対向する板部を備え、
前記シーリング材は、前記板部と前記底板部との間に位置して当該板部とともに前記カード挿入口とは反対の側から前記基板裏面の全体を被い、かつ、前記板部と前記底板部との間で弾性変形して当該板部と前記底板部との間をシールすることを特徴とする請求項３に記載のカードリーダ。
【請求項５】
前記板部は、配線用貫通穴を備え、
前記シーリング材は、前記回路基板において前記カード搬送路の幅方向の両側に位置する一対の基板側面の当該カード搬送路の側の端縁、および、前記基板表面の前記カード搬送路の側の端縁において当該カード搬送路の幅方向で前記磁気センサの両側に位置する端縁部分を被うことを特徴とする請求項４に記載のカードリーダ。
【請求項６】
前記カードリーダ本体は、前記被係止部として、前記カード搬送路の幅方向で前記底板部を間に挟んだ両側に一対の前記被係止部を備え、
前記センサホルダは、前記係止部として、前記カード搬送路の幅方向で前記固定部を間に挟んだ両側に前記一対の被係止部に係止される一対の前記係止部を備えることを特徴とする請求項４または５に記載のカードリーダ。
【請求項７】
前記装着部は、前記底板部における前記カード挿入口の側の端縁から前記カード搬送路が位置する側とは反対側に起立して当該カード挿入口の側から前記磁気センサに対向する端板部を備え、
前記端板部の前記カード搬送路とは反対側の端面には、前記カード挿入口とは反対側を向く端面を備える段部が設けられており、
前記センサホルダは、前記磁気センサの前記カード搬送路とは反対側から前記カード挿入口が位置する側に突出して前記段部に嵌合する突出板部を備えることを特徴とする請求項４から６のうちのいずれか一項に記載のカードリーダ。
【請求項８】
請求項１から７のうちのいずれか一項に記載のカードリーダの磁気センサユニット。
【請求項９】
カードリーダに設けられたカード搬送路に挿入されたカードのＩＣチップの接点端子を検出する磁気センサユニットにおいて、
前記カード搬送路の側を向くセンサ面および当該センサ面とは反対を向く反対面を備える磁気センサと、前記磁気センサが固定される固定部および係止部を備えるセンサホルダと、前記磁気センサを前記固定部に固定している接着剤と、を備え、
前記接着剤は、前記反対面を被っており、
前記係止部が前記カードリーダに設けられた被係止部に係止された状態で当該カードリーダに着脱可能に装着されることを特徴とする磁気センサユニット。
【発明の詳細な説明】
【技術分野】
【０００１】
本発明は、カードに搭載されたＩＣチップの接点端子を検出する磁気センサユニットを備えるカードリーダおよび磁気センサユニットに関する。
【背景技術】
【０００２】
カードリーダによって情報の読取りや情報の書込みが行われるカードとしては、磁気ストライプが設けられた磁気カードや、ＩＣチップが搭載されたＩＣカードが知られている。特許文献１に記載のカードリーダは、磁気ストライプに対して情報の読み書きを行う磁気ヘッドと、ＩＣチップの接点端子に接触してＩＣチップとの間で通信を行うＩＣ接点ブロックを備える。また、カードリーダは、磁気ヘッドによる読み書き位置およびＩＣ接点ブロックによる接触位置を経由して延びるカード搬送路と、カード搬送路にカードを挿入するためのカード挿入口と、カード搬送路に挿入されたカードをカード搬送路に沿って搬送するカード搬送機構を備える。また、同文献のカードリーダは、カード挿入口からカード搬送路にカードが挿入されたときに、磁気ストライプの有無を検出するプリヘッドと、ＩＣチップの接点端子の有無を検出する磁気センサを備える。カードリーダは、プリヘッドにより磁気ストライプが検出された場合には、カード搬送機構を駆動してカードを搬送するとともに、磁気ヘッドを駆動して読み書き位置を通過するカードの磁気ストライプに対して読み書きを行う。また、カードリーダは、磁気センサによりＩＣチップの接点端子が検出された場合には、カード搬送機構を駆動してカードを接触位置に搬送するとともに、ＩＣ接点ブロックを駆動して、ＩＣチップとの間で通信を行う。
【０００３】
ＩＣチップの接点端子を検出する磁気センサは、コア体と、第１励磁コイルと、第２励磁コイルと、検出コイルと、コア体、第１励磁コイル、第２励磁コイルおよび検出コイルを被う樹脂製のハウジングと、を備える。コア体は、検出コイルが巻回されたコア中央部と、コア中央部からカード搬送路の側に突出して第１励磁コイルが巻回された第１コア端部と、コア中央部からカード搬送路とは反対の方向に突出して第２励磁コイルが巻回された第２コア端部と、第１コア端部におけるコア中央部とは反対側の第１端面と、第２コア端部におけるコア中央部とは反対側の第２端面と、を備える。ハウジングにおいて第１端面と重なる面は、磁気センサのセンサ面であり、カード挿入口からカード搬送路に挿入されたカードと狭いギャップを開けて対向する。ハウジングにおいて第２端面と重なる面は、センサ面と反対を向く反対面である。第１励磁コイルおよび第２励磁コイルが励磁されると、センサ面からコア中央部に向かう第１磁界と、反対面からコア中央部に向かう第２磁界が発生する。
【０００４】
センサ面と対向する検出位置にＩＣチップの接点端子が存在しないときは第１磁界および第２磁界が等しいので、検出コイルからの出力は、出力なし（出力がゼロ）となる。一方、検出位置に接点端子が存在するときは、カードの側の第１励磁コイルの第１磁界に、ＩＣチップの接点端子に起因する変化が発生するので、検出コイルからは、第１磁界の変化に応じた出力が得られる。よって、検出コイルからの出力に基づいて、ＩＣチップの接点端子を検出できる。
【先行技術文献】
【特許文献】
【０００５】
【特許文献１】特開２００５−１５６２２５号公報
【発明の概要】
【発明が解決しようとする課題】
【０００６】
カードリーダが磁気カードの読み書きのみを行う用途に用いられる場合には、ＩＣチップの接点端子を検出する磁気センサは必要ない。従って、磁気センサを省略できれば、カードリーダの用途が限定されている場合などに、店舗などへの導入コストを抑制できる。この一方で、磁気センサを省略したカードリーダを、ＩＣカードの扱いが可能なＩＣカード対応のカードリーダにアップグレードできれば、ＩＣカードに対する処理が必要となった時にＩＣカード対応のカードリーダを新たに購入しなくても済むので、ＩＣカード対応のカードリーダの導入コストを抑制できる。
【０００７】
以上の問題に鑑みて、本発明の課題は、必要に応じてＩＣカードを扱うことが可能な状態にアップグレードできるカードリーダを提供することにある。
【課題を解決するための手段】
【０００８】
上記課題を解決するために、本発明のカードリーダは、カードが搬送されるカード搬送路および当該カード搬送路に前記カードを挿入するためのカード挿入口を備えるカードリーダ本体と、前記カード搬送路に挿入された前記カードのＩＣチップの接点端子を検出するための磁気センサユニットと、を有し、前記カードリーダ本体は、前記磁気センサユニットが着脱可能に装着された装着部を備え、前記装着部は、被係止部を備え、前記磁気センサユニットは、前記カード搬送路の側を向くセンサ面および当該センサ面とは反対を向く反対面を備える磁気センサと、前記被係止部に係止される係止部および前記磁気センサが固定される固定部を備えるセンサホルダと、前記磁気センサを前記固定部に固定している接着剤と、を備え、前記接着剤は、前記反対面を被っていることを特徴とする。
【０００９】
本発明によれば、ＩＣカードに搭載されたＩＣチップの接点端子を検出する磁気センサユニットは、カードリーダ本体の装着部に着脱可能に装着されている。従って、カードリーダの用途が磁気カードの読み書きのみを行う用途に限定されている場合には、カードリーダ本体から磁気センサユニットを取り外して、当該用途に必要のない磁気センサを省略できる。これにより、カードリーダを店舗などに導入する際の導入コストを抑制できる。一方、ＩＣカードに対する処理が必要となった場合には、磁気センサを省略した状態のカードリーダに磁気センサユニットを装着することにより、当該カードリーダをＩＣカード対応のカードリーダにアップグレードできる。これにより、ＩＣカード対応のカードリーダを新たに購入する必要が無くなるので、ＩＣカード対応のカードリーダの導入コストを抑制できる。
【００１０】
ここで、磁気センサユニットは、その係止部が装着部に設けられた被係止部に係止された状態でカードリーダ本体に装着される。従って、磁気センサユニットは装着部に確実に固定される。また、係止部を被係止部に係止させた状態で磁気センサユニットを装着部に装着すれば、カード搬送路に対する磁気センサユニットの位置や姿勢を規定することが容易となる。さらに、磁気センサユニットでは、磁気センサは接着剤によってセンサホルダに固定されている。従って、磁気センサをセンサホルダに固定することが容易である。また、接着剤は、センサ面とは反対の反対面に塗布されているので、磁気センサを固定するための接着剤がセンサ面に付着してしまうことを防止あるいは抑制できる。
【００１１】
本発明において、前記磁気センサは、コア体と、第１励磁コイルと、第２励磁コイルと、検出コイルと、前記コア体、前記第１励磁コイル、前記第２励磁コイルおよび前記検出コイルを被う樹脂製のハウジングと、を備え、前記コア体は、前記検出コイルが巻回されたコア中央部と、前記コア中央部から前記カード搬送路の側に突出して前記第１励磁コイルが巻回された第１コア端部と、前記コア中央部から前記カード搬送路とは反対の方向に突出して前記第２励磁コイルが巻回された第２コア端部と、前記第１コア端部における前記コア中央部とは反対側の第１端面と、前記第２コア端部における前記コア中央部とは反対側の第２端面と、を備え、前記第１励磁コイルと前記第２励磁コイルとは、逆方向の磁
界を発生させるように巻回され、前記センサ面は、前記ハウジングにおいて前記第１端面と重なる面であり、前記反対面は、前記ハウジングにおいて前記第２端面と重なる面であるものとすることができる。このようにすれば、検出コイルからの出力は、センサ面と対向する検出位置にＩＣチップの接点端子が存在しないときは、２つの励磁コイルの磁界が等しいので、出力なし（出力がゼロ）となる。一方、検出位置に接点端子が存在するときは、カードの側の第１励磁コイルの磁界に、ＩＣチップの接点端子に起因する変化が発生するので、検出コイルからは、第１励磁コイルの磁界の変化に応じた出力が得られる。よって、検出コイルからの出力に基づいて、ＩＣチップの接点端子を検出できる。ここで、このような構成の磁気センサでは、第２励磁コイルが発生させる磁界により、大気中の砂鉄などが反対面に吸引されて付着することがある。大気中の砂鉄などが反対面に付着すると、検出コイルからの出力が変動するので、ＩＣチップの接点端子を誤検出するという問題がある。このような問題に対して、反対面は、磁気センサを固定部に固定する接着剤で被われている。従って、磁気センサの反対面に砂鉄などが付着することはなく、誤検出を防止できる。
【００１２】
本発明において、前記磁気センサユニットは、前記磁気センサが実装された回路基板を備え、前記回路基板は、前記接着剤により前記固定部に固定されているものとすることができる。このようにすれば、磁気センサおよび回路基板を固定部に固定することが容易となる。
【００１３】
本発明において、前記装着部は、前記磁気センサユニットと前記カード搬送路との間に位置する底板部を備え、前記センサユニットは、前記回路基板に取り付けられたシーリング材を備え、前記回路基板は、前記カード挿入口が位置する側を向く基板表面と、前記カード挿入口とは反対の側を向く基板裏面と、を備え、前記磁気センサは、前記基板表面に実装されて前記センサ面が前記底板部に当接し、前記固定部は、前記基板裏面に対向する板部を備え、前記シーリング材は、前記板部と前記底板部との間に位置して当該板部とともに前記カード挿入口とは反対の側から前記基板裏面の全体を被い、かつ、前記板部と前記底板部との間で弾性変形して当該板部と前記底板部との間をシールすることが望ましい。このようにすれば、磁気センサユニットがカードリーダ本体に装着されているときに、大気中の鉄粉などが、センサホルダの板部の側から基板表面の側に移動して、磁気センサに付着することを防止或いは抑制できる。
【００１４】
本発明において、前記板部は、配線用貫通穴を備え、前記シーリング材は、前記回路基板において前記カード搬送路の幅方向の両側に位置する一対の基板側面の当該カード搬送路の側の端縁、および、前記基板表面の前記カード搬送路の側の端縁において当該カード搬送路の幅方向で前記磁気センサの両側に位置する端縁部分を被うことが望ましい。このようにすれば、磁気センサユニットがカードリーダ本体に装着されているときに、大気中の鉄粉などが、センサホルダの板部の配線用貫通穴を介して基板裏面の側に侵入した場合でも、基板裏面の側から基板表面の側に移動して、磁気センサに付着することを防止或いは抑制できる。
【００１５】
本発明において、前記カードリーダ本体は、前記被係止部として、前記カード搬送路の幅方向で前記底板部を間に挟んだ両側に一対の前記被係止部を備え、前記センサホルダは、前記係止部として、前記カード搬送路の幅方向で前記固定部を間に挟んだ両側に前記一対の被係止部に係止される一対の前記係止部を備えることが望ましい。このようにすれば、磁気センサユニットを装着部に装着したときに、カード搬送路に対する磁気センサの位置や姿勢を規定することが容易となる。
【００１６】
本発明において、前記装着部は、前記底板部における前記カード挿入口の側の端縁から前記カード搬送路が位置する側とは反対側に起立して当該カード挿入口の側から前記磁気
センサに対向する端板部を備え、前記端板部の前記カード搬送路とは反対側の端面には、前記カード挿入口とは反対側を向く端面を備える段部が設けられており、前記センサホルダは、前記磁気センサの前記カード搬送路とは反対側から前記カード挿入口が位置する側に突出して前記段部に嵌合する突出板部を備えることが望ましい。このようにすれば、磁気センサユニットがカードリーダ本体に装着されたときに、大気中の鉄粉などが、カード挿入口の側から装着部と磁気センサユニットとの間に入り込んで磁気センサに付着することを防止或いは抑制できる。
【００１７】
次に、本発明は、上記のカードリーダの磁気センサユニットとすることができる。
【００１８】
本発明によれば、磁気センサユニットは、その係止部をカードリーダの装着部に設けられた被係止部に係止させた状態でカードリーダに装着される。従って、装着時における磁気センサユニットの位置や姿勢を規定することが容易である。また、磁気センサは接着剤によって固定部に固定されているので、磁気センサをセンサホルダに保持することが容易である。さらに、接着剤は、センサ面とは反対の反対面に塗布されているので、センサ面に接着剤が付着してしまうことを防止あるいは抑制できる。
【００１９】
また、本発明は、カードリーダに設けられたカード搬送路に挿入されたカードのＩＣチップの接点端子を検出する磁気センサユニットにおいて、前記カード搬送路の側を向くセンサ面および当該センサ面とは反対を向く反対面を備える磁気センサと、前記磁気センサが固定される固定部および係止部を備えるセンサホルダと、前記磁気センサを前記固定部に固定している接着剤と、を備え、前記接着剤は、前記反対面を被っており、前記係止部が前記カードリーダに設けられた被係止部に係止された状態で当該カードリーダに着脱可能に装着されることを特徴とする。
【００２０】
本発明によれば、磁気センサユニットは、その係止部をカードリーダの装着部に設けられた被係止部に係止させた状態でカードリーダに装着される。従って、装着時における磁気センサユニットの位置や姿勢を規定することが容易である。また、磁気センサは接着剤によって固定部に固定されているので、磁気センサをセンサホルダに保持することが容易である。さらに、接着剤は、センサ面とは反対の反対面に塗布されているので、磁気センサを固定するための接着剤がセンサ面に付着してしまうことを防止あるいは抑制できる。
【発明の効果】
【００２１】
本発明のカードリーダによれば、ＩＣカードに搭載されたＩＣチップの接点端子を検出する磁気センサユニットは、カードリーダの装着部に対して着脱可能に装着されている。従って、必要に応じて、磁気センサユニットをカードリーダ本体に対して着脱して、カードリーダを店舗などに導入する際の導入コストを抑制できる。
【００２２】
また、本発明の磁気センサユニットは、その係止部をカードリーダに設けられた被係止部に係止させた状態でカードリーダに装着される。従って、装着時における磁気センサユニットの位置や姿勢を規定することが容易である。さらに、磁気センサは接着剤によって固定部に固定されているので、磁気センサをセンサホルダに保持することが容易である。また、接着剤は、センサ面とは反対の反対面に塗布されているので、磁気センサを固定するための接着剤がセンサ面に付着してしまうことを防止あるいは抑制できる。
【図面の簡単な説明】
【００２３】
【図１】本発明を適用したカードリーダを側方から見た説明図である。
【図２】磁気センサユニットを装着したカード挿入部とＩＣカードの斜視図である。
【図３】磁気センサユニットを装着したカード挿入部の断面図である。
【図４】カード挿入部の上側部材と磁気センサユニットの分解斜視図である。
【図５】磁気センサユニットの平面図、幅方向に切断した断面図、底面図、搬送方向に切断した断面図、および、背面図である。
【図６】磁気センサおよび回路基板の説明図である。
【図７】センサホルダの説明図である。
【発明を実施するための形態】
【００２４】
以下、図面を参照しながら、本発明を適用したカードリーダおよび磁気センサユニットの実施形態を説明する。
【００２５】
（カードリーダ）
図１は本発明を適用したカードリーダを側方から見た場合の説明図である。図２は磁気センサユニットを装着したカードリーダ本体のカード挿入部とＩＣカードの斜視図である。カードリーダ１は、ＩＣチップを搭載するＩＣカード１００や、磁気ストライプを備える磁気カード（不図示）に対する処理を行うものである。カードリーダ１は、上位装置と通信可能に接続されて使用される。ＩＣカード１００は、その表面１００ａに、ＩＣチップ（不図示）と、ＩＣチップの通信用の接点端子１０２と、を備える。図２に示すＩＣカードでは、接点端子１０２は２列に配置されている。ＩＣカード１００には、その裏面１００ｂに、磁気ストライプ（不図示）が形成されている場合もある。磁気カードは、その裏面に、磁気ストライプを備える。
【００２６】
図１に示すように、カードリーダ１は、カードリーダ本体２と、カードリーダ本体２に着脱可能に装着された磁気センサユニット３と、を備える。カードリーダ本体２は、カード処理部４と、カード処理部４の前端に設けられるカード挿入部５を備える。カードリーダ１は、カード挿入部５の前面のカード挿入口６からカード処理部４の内部に延設されたカード搬送路７を備える。
【００２７】
カード処理部４は、ＩＣカード１００の接点端子１０２と接触してデータの通信を行うＩＣ接点ブロック８を備える。また、カード処理部４は、ＩＣカード１００や磁気カードの磁気ストライプに対して磁気データの読取りおよび書込みの少なくとも一方を行う磁気ヘッド９を備える。カード搬送路７には、ＩＣ接点ブロック８が接点端子１０２と接触する接触位置Ｃと、磁気ヘッド９による磁気データの読み書き位置Ｒと、が設定されている。
【００２８】
また、カード処理部４は、カード搬送路７に沿ってＩＣカード１００などを搬送するカード搬送機構１０を備える。カード搬送機構１０は、複数の搬送ローラ１１と、搬送モータ１２と、搬送モータ１２の回転を各搬送ローラ１１に伝達する駆動力伝達機構１３を備える。カード挿入口６に挿入されたＩＣカード１００は、カード挿入部５からカード処理部４に向かう搬送方向Ｄに搬送される。搬送方向Ｄにおいて、接触位置Ｃは読み書き位置Ｒよりも上流側に設定されている。
【００２９】
以下の説明では、互いに直交する３方向をＸ方向、Ｙ方向、Ｚ方向とする。Ｘ方向は搬送方向Ｄである。搬送方向Ｄにおいてカード挿入口６からカード処理部４に向かう方向をＸ１方向とし、搬送方向Ｄにおいてカード処理部４からカード挿入口６に向かう方向をＸ２方向とする。なお、Ｘ方向はカードリーダの前後方向であり、Ｘ１方向は、カードリーダ１の後方であり、Ｘ２方向はカードリーダ１の前方である。Ｙ方向は搬送方向Ｄと直交するカード搬送路７の幅方向である。また、Ｙ方向はカードリーダ１の幅方向である。幅方向の一方側をＹ１方向とし、他方側をＹ２方向とする。Ｚ方向は、上下方向であり、下方をＺ１方向とし、上方をＺ２方向とする。
【００３０】
カード挿入口６はＹ方向に延在するスリットである。図２に示すように、カード挿入部
５は、カード挿入口６を中心として、Ｘ２方向に向かうのに伴って開口高さが増大するベゼル部５ａを備える。
【００３１】
また、図１に示すように、カード挿入部５は、カード搬送路７を開閉するシャッター１４と、シャッター１４を駆動するためのソレノイド１５と、シャッター１４とカード挿入口６との間に配置されたプリヘッド１６を備える。さらに、カード挿入部５は、カード挿入口６へのカードの挿入を検知する挿入検知センサ（図示省略）を備える。ここで、プリヘッド１６は、カード挿入口６に挿入されたカードが磁気ストライプを備えている場合に、磁気ストライプを検出する。
【００３２】
さらに、カード挿入部５は、プリヘッド１６とカード挿入口６との間に磁気センサユニット３の装着部２０を備える。
【００３３】
ここで、磁気センサユニット３は磁気センサ２１を備える。磁気センサ２１は、カード挿入口６に挿入されたカードにＩＣチップが搭載されているか否かを判別するためのセンサであり、ＩＣカード１００の接点端子１０２を検出する。磁気センサユニット３が装着部２０に装着されることにより、磁気センサ２１は、カード挿入口６とプリヘッド１６との間に配置される。
【００３４】
カード搬送路７において、プリヘッド１６による磁気ストライプの検出位置Ｅは、磁気ヘッド９が磁気ストライプに読み書きを行う読み書き位置ＲよりもＸ２方向（搬送方向Ｄの上流側）に設定されている。カード搬送路７上において、磁気センサ２１による接点端子１０２の検出位置Ｆは、ＩＣ接点ブロック８のが接点端子１０２と接触する接触位置ＣよりもＸ２方向（搬送方向Ｄの上流側）に設定されている。また、磁気センサ２１による接点端子１０２の検出位置Ｆは、プリヘッド１６による磁気ストライプの検出位置ＥよりもＸ２方向（搬送方向Ｄの上流側）に設定されている。
【００３５】
プリヘッド１６はカード搬送路７のＺ１方向（下側）に位置する。磁気センサ２１はカード搬送路７のＺ２方向（上側）に位置する。従って、磁気センサ２１は、カード搬送路７を間に挟んでプリヘッド１６と反対側に配置されている。この配置は、ＩＣカード１００において、ＩＣチップの接点端子１０２はカードの表面１００ａに設けられ、磁気ストライプはカード１００のカードの裏面１００ｂに設けられることを前提とする。また、磁気センサ２１は、カード挿入部５をカード挿入口６の側から見た場合に、カード搬送路７の幅方向の中心から僅かにＹ１方向に寄った位置に配置される。この位置は、カード搬送路７にＩＣカード１００が正しい姿勢で挿入された場合に、磁気センサ２１のセンサ面２２が接点端子１０２と対向する位置である。ＩＣカード１００の正しい挿入姿勢は、図２に示すように、接点端子１０２が設けられた表面１００ａをＺ２方向に向けるとともに、ＩＣカード１００において、接点端子１０２がＸ１方向（搬送方向Ｄの下流側）に位置する姿勢である。
【００３６】
また、カードリーダ１は制御部１８を備える。制御部１８には、磁気センサ２１およびプリヘッド１６を含む各種のセンサの出力信号が入力される。制御部１８は、これらのセンサの出力信号に基づいて、カードリーダ１の各部の制御を行う。
【００３７】
（カードリーダの動作）
カード挿入部５へカードが挿入される前の状態では、シャッター１４はカード搬送路７を閉鎖した状態となっている。カードリーダ１の制御部１８は、挿入検知センサからの出力信号に基づいてカード搬送路７へのカード状の物体の挿入を検知すると、磁気センサ２１からの出力信号に基づいて接点端子１０２の有無を判定する。また、制御部１８は、プリヘッド１６からの出力信号に基づいて、磁気ストライプの有無を判定する。
【００３８】
そして、磁気センサ２１により接点端子１０２が検出された場合には、制御部１８は、ＩＣカード１００がカード挿入口６に正しい姿勢で挿入されたと判定して、ソレノイド１５を駆動してシャッター１４を開ける。また、制御部１８は、搬送モータ１２を駆動して、カード搬送機構１０によりＩＣカード１００をカード搬送路７に沿ってＸ１方向（搬送方向Ｄ）に搬送する。さらに、制御部１８は、接触位置ＣおいてＩＣ接点ブロック８をＩＣカード１００の接点端子１０２と接触させてＩＣチップとのデータの通信を行う。また、制御部１８は、プリヘッド１６により磁気ストライプが検出されている場合には、読み書き位置Ｒを通過するＩＣカード１００の磁気ストライプに対して、磁気ヘッド９により、磁気データの読取りや書込みを行う。
【００３９】
また、磁気センサ２１により接点端子１０２が検出されず、プリヘッド１６により磁気ストライプが検出された場合には、制御部１８は、磁気カードがカード挿入口６に挿入されたと判定して、ソレノイド１５を駆動してシャッター１４を開ける。また、制御部１８は、搬送モータ１２を駆動して、カード搬送機構１０により磁気カードをカード搬送路７に沿ってＸ１方向（搬送方向Ｄ）に搬送する。さらに、制御部１８は、読み書き位置Ｒを通過する磁気カードの磁気ストライプに対して、磁気ヘッド９により、磁気データの読取りや書込みを行う。
【００４０】
（装着部）
図３は磁気センサユニット３を装着したカード挿入部５の断面図である。図４はカード挿入部５を構成する上側部材と磁気センサユニット３の分解斜視図である。図３に示すように、カード挿入部５は、カード搬送路７の搬送面を備える下側部材２５と、下側部材２５にＺ２方向から被せられて下側部材２５とともにカード搬送路７を構成する上側部材２６と、を備える。下側部材２５には、プリヘッド１６が搭載されている。上側部材２６には、ソレノイド１５が搭載されている。また、上側部材２６は、ソレノイド１５のＸ２方向に装着部２０を備える。
【００４１】
図４に示すように、上側部材２６は、Ｚ１方向の側の面がカード搬送路７の天井となる天井板部２７を備える。また、上側部材２６は、天井板部２７のＸ２方向の端縁からＺ２方向に起立する前板部２８を備える。前板部２８のＸ２方向の側の面（前面）には、ベゼル部５ａのカード搬送路７よりも上側部分が設けられている。
【００４２】
装着部２０は、底板部３１と、底板部３１のＸ２方向の端縁からＺ２方向に起立する端板部３２を備える。底板部３１は、天井板部２７の前端部分であり、前板部２８のＸ１方向の端縁に沿ってＹ方向に延びる略矩形の領域である。端板部３２は、前板部２８である。底板部３１は、磁気センサユニット３が装着部２０に装着されたときに磁気センサユニット３とカード搬送路７との間に位置する。また、装着部２０は、底板部３１のＹ方向の両側に、一対の被係止部３３を備える。
【００４３】
底板部３１において、Ｙ方向の中央部分から僅かにＹ１方向に偏った位置には、凹部３４が設けられている。端板部３２の上面（Ｚ２方向の端面）には、Ｘ１方向を向く端面３５ａを備える段部３５が設けられている。被係止部３３は、底板部３１とは反対方向に突出する突部３７を備える。
【００４４】
（磁気センサユニット）
図５（ａ）は磁気センサユニット３をＺ２方向から見た場合の平面図であり、図５（ｂ）は、磁気センサユニット３を図５（ａ）のＡ−Ａ線で切断した断面図であり、図５（ｃ）は磁気センサユニット３をＺ１方向から見た場合の底面図であり、図５（ｄ）は、磁気センサユニット３を図５（ｂ）のＢ−Ｂ線で切断した場合の断面図であり、図５（ｅ）は
、磁気センサユニット３をＸ２方向から見た場合の背面図である。図６（ａ）は磁気センサ２１および回路基板をＸ２方向から見た場合の正面図であり、図６（ｂ）は磁気センサ２１の説明図である。図７はセンサホルダの説明図である。図７では、センサホルダをＸ２方向の側およびＺ１方向の側から見ている。図７（ａ）では、センサホルダに固定された磁気センサ２１および回路基板を点線で示す。
【００４５】
図５（ｂ）に示すように、磁気センサユニット３は、磁気センサ２１と、磁気センサ２１が実装された回路基板４１と、磁気センサ２１および回路基板４１を保持するセンサホルダ４２と、を備える。磁気センサ２１は、回路基板４１においてＸ２方向を向く基板表面４１ａの側に実装されている。磁気センサ２１および回路基板４１は、接着剤８８によりセンサホルダ４２に固定されている。
【００４６】
（磁気センサおよび回路基板）
図６に示すように、磁気センサ２１は、コア体４５と、第１励磁コイル４６と、第２励磁コイル４７と、検出コイル４８と、コア体４５、第１励磁コイル４６、第２励磁コイル４７および検出コイル４８を被う樹脂製のハウジング４９と、を備える。図６（ｂ）に示すように、コア体４５は、検出コイル４８が巻回されたコア中央部５０と、コア中央部５０からカード搬送路７の側に突出して第１励磁コイル４６が巻回された第１コア端部５１と、コア中央部５０からカード搬送路７とは反対の方向に突出して第２励磁コイル４７が巻回された第２コア端部５２と、第１コア端部５１におけるコア中央部５０とは反対側の第１端面５１ａと、第２コア端部５２におけるコア中央部５０とは反対側の第２端面５２ａと、を備える。第１励磁コイル４６と第２励磁コイル４７とは、励磁されたときに、逆方向の磁界を発生させるように巻回されている。
【００４７】
図６（ａ）に示すように、ハウジング４９はＸ２方向から見た場合にコア体４５に対応する形状をしている。すなわち、ハウジング４９は、内側にコア中央部５０が位置する中央部分５４と、中央部分５４のＹ方向の中央からＺ１方向に突出する第１突出部分５５と、中央部分５４のＹ方向の中央からＺ２方向に突出する第２突出部分５６とを備える。第１突出部分５５の内側には第１コア端部５１が位置する。第２突出部分５６の内側には第２コア端部５２が位置する。ハウジング４９において第１突出部分５５の先端面５５ａはコア体４５の第１端面５１ａと重なる面であり、磁気センサ２１のセンサ面２２である。第１励磁コイル４６を励磁すると、第１端面５１ａ（センサ面２２）からコア中央部５０に向かう第１磁界５７が発生する。ハウジング４９において第２突出部分５６の先端面５６ａは、コア体４５の第２端面５２ａと重なる面であり、センサ面２２と反対の方向を向く反対面２３である。第２励磁コイル４７を励磁すると、第２端面５２ａ（反対面２３）からコア中央部５０に向かう第２磁界５８が発生する。
【００４８】
検出コイル４８の出力は、センサ面２２と対向する検出位置ＦにＩＣチップの接点端子１０２が存在しないときは第１磁界５７および第２磁界５８が等しいので、出力なし（出力がゼロ）となる。一方、検出位置Ｆに接点端子１０２が存在するときは、ＩＣカード１００の側（カード搬送路７の側）の第１励磁コイル４６の第１磁界５７に、ＩＣチップの接点端子１０２に起因する変化が現れる。従って、検出コイル４８からは、第１磁界５７の変化に応じた出力が得られる。よって、検出コイル４８の出力に基づき、ＩＣチップの接点端子１０２を検出できる。
【００４９】
ここで、図５（ｃ）に示すように、回路基板４１のＺ１方向の端部分には、帯状のシーリング材６０が固定されている。シーリング材６０は、回路基板４１の下端部分において、Ｘ１方向を向く基板裏面４１ｂの側から基板表面４１ａの側に巻き回されている。シーリング材６０は、回路基板４１の基板裏面４１ｂの下端縁を被うとともに、Ｙ方向の両側で基板表面４１ａと基板裏面４１ｂとの間に位置する一対の基板側面４１ｃの下端縁、お
よび、基板表面４１ａの下端縁において、Ｙ方向で磁気センサ２１の両側に位置する下端縁部分を被っている。なお、シーリング材６０は、磁気センサユニット３が装着部２０に装着されていない状態では、回路基板４１からＺ１方向に突出している。
【００５０】
（センサホルダ）
センサホルダ４２は樹脂製である。図５、図７に示すように、センサホルダ４２は、Ｙ方向の延びる天井板部６１と、天井板部６１のＹ方向の両端部分からそれぞれＺ１方向に突出する一対の側板部６２を備える。一対の側板部６２のＺ１方向の端部分にはＹ方向を天井板部６１の側に突出する突部６３が設けられている。側板部６２および突部６３は、カードリーダ本体２（カード挿入部５）の装着部２０に設けられた一対の被係止部３３に係止される係止部６４を構成する。天井板部６１のＹ方向の中心から僅かにＹ１方向に偏った位置には、図５（ａ）、図５（ｂ）に示すように、天井板部６１をＺ方向に貫通する矩形の貫通穴６５が設けられている。
【００５１】
また、センサホルダ４２は、Ｙ方向で一対の係止部６４の間に、磁気センサ２１および回路基板４１の固定部４３を備える。固定部４３は、天井板部６１における貫通穴６５の下側に設けられている。従って、固定部４３は、天井板部６１のＹ方向の中心から僅かにＹ１方向に偏った位置にある。さらに、センサホルダ４２は、固定部４３のＹ２方向の側に、突出板部６６を備える。
【００５２】
図７に示すように、固定部４３は、天井板部６１からＺ１方向に突出してＹ方向に平行に延びる２枚の板部（後側板部７１および前側板部７２）を備える。２枚の板部（後側板部７１および前側板部７２）は、Ｘ方向で貫通穴６５を間に挟む両側に設けられている。また、固定部４３は、天井板部６１からＺ１方向に突出して２枚の板部（後側板部７１および前側板部７２）のＹ方向の両端部分をそれぞれ接続する２枚の側板部７３、７４を備える。ここで、天井板部６１は、２枚の２枚の板部（後側板部７１および前側板部７２）のうち、Ｘ２方向（前方）に位置する前側板部７２よりもＸ２方向に突出している突出板部分６１ａ（突出板部）を備える。
【００５３】
２枚の板部７１、７２のうち、Ｘ１方向（後方）に位置する後側板部７１は、図５（ｅ）に示すように、Ｘ方向から見た場合の形状が矩形である。また、後側板部７１は、図５（ｄ）および図７（ｂ）に示すように、Ｚ１方向の端部分に、Ｘ１方向に広がる幅広部７７を備える。幅広部７７の端面７７ａのＸ１方向の端縁部分には、Ｚ１方向に突出する横リブ７８が設けられている。横リブ７８は、幅広部７７のＸ１方向の端縁に沿ってＹ方向に延在する。また、後側板部７１は、図７（ｂ）に示すように、前側板部７２の側に突出して、Ｚ方向に平行に延びる一対の後側板部の後側縦リブ７９を備える。一対の後側板部の後側縦リブ７９は、貫通穴６５を間に挟んだＹ方向の両側に位置する。さらに、後側板部７１は、図５（ｅ）に示すように、固定部４３に固定される回路基板４１に配線を行うための一対の配線用貫通穴８０を備える。一対の配線用貫通穴８０は、一対の後側板部の後側縦リブ７９を間に挟んだＹ方向の両側に形成されている。
【００５４】
図７（ａ）に示すように、前側板部７２は、Ｚ１方向の端縁に切欠き部８２を備える。切欠き部８２は、磁気センサ２１のハウジング４９の上側部分に対応する形状を備える。すなわち、切欠き部８２は、磁気センサ２１のハウジング４９の中央部分５４の上側部分に対応する矩形の下側切欠き部分８３と、磁気センサ２１のハウジング４９の第２突出部分５６に対応する矩形の上側切欠き部分８４とを備える。上側切欠き部分８４は、下側切欠き部分８３のＹ方向の中央部分からＺ２方向に延びている。また、前側板部７２は、図７（ｂ）に示すように、後側板部７１と対向する対向面に、前側板部７２における上側切欠き部分８４のＹ方向の両側の開口縁部分に沿ってＺ方向に平行に延びる一対の前側縦リブ８６を備える。一対の前側縦リブ８６のＺ２方向の端は、天井板部６１における貫通穴
６５のＹ方向の両側の開口縁部分に連続している。ここで、前側板部７２の一対の前側縦リブ８６は、後側板部７１の一対の後側縦リブ７９の内側に位置する。前側縦リブ８６と後側縦リブ７９とは、回路基板４１の厚みに相当する距離だけＸ方向で離間している。
【００５５】
（磁気センサおよび回路基板のセンサホルダへの固定）
図７に示すように、磁気センサ２１は、回路基板４１が後側板部７１の一対の後側縦リブ７９と前側板部７２の一対の前側縦リブ８６との間に挿入され、当該磁気センサ２１の上側部分が前側板部７２の切欠き部８２に嵌め込まれた状態で、センサホルダ４２に取り付けられる。また、磁気センサ２１および回路基板４１は、貫通穴６５を介して前側板部７２の一対の前側縦リブ８６の間に充填された接着剤８８により、センサホルダ４２に固定されている。これにより、接着剤８８は、図３に示すように、磁気センサ２１の反対面２３を被う。
【００５６】
磁気センサ２１および回路基板４１がセンサホルダ４２に固定された状態では、回路基板４１に固定されたシーリング材６０は、後側板部７１の幅広部７７の端面７７ａに当接する。また、図５（ｅ）に示すように、磁気センサ２１および回路基板４１がセンサホルダ４２に固定された状態をＸ２方向の側から見た場合には、シーリング材６０は、後側板部７１とともに基板裏面４１ｂの全体を被う。なお、図５（ｃ）に示すように、シーリング材６０は、回路基板４１のＹ１方向の基板側面４１ｃの下端縁を被う。そして、シーリング材６０は、後側板部７１および前側板部７２のＹ１方向の端部分を接続する側板部７３と基板側面４１ｃとの間に挟まれている。また、シーリング材６０は、回路基板４１のＹ２方向の基板側面４１ｃの下端縁を被う。そして、シーリング材６０は、後側板部７１および前側板部７２のＹ２方向の端部分を接続する側板部７４と基板側面４１ｃとの間に挟まれている。さらに、シーリング材６０は、固定部４３の２枚の側板部７３、７４と回路基板４１との間で弾性変形して、これらの間をシールしている。
【００５７】
（磁気センサユニットの装着部への装着）
図４に矢印で示すように、磁気センサユニット３は、Ｚ２方向の側から装着部２０に装着される。磁気センサユニット３が装着部２０に装着される際には、図２に示すように、センサホルダ４２のＹ方向の両側に設けられた一対の係止部６４が、装着部２０において底板部３１を間に挟んだ両側に設けられた一対の被係止部３３に係止される。
【００５８】
磁気センサユニット３が装着部２０に装着された状態では、図３に示すように、天井板部６１において固定部４３の前側板部７２よりもＸ２方向に突出している突出板部分６１ａが、装着部２０の端板部３２の上面に設けられた段部３５に嵌り込む。また、磁気センサ２１のセンサ面２２は、底板部３１に設けられた凹部３４の底面３４ａに当接する。さらに、シーリング材６０がセンサホルダ４２の後側板部７１と装着部２０の底板部３１との間で弾性変形して後側板部７１と底板部３１との間をＸ１方向の側からシールする。
【００５９】
（作用効果）
本発明によれば、ＩＣカード１００に搭載されたＩＣチップの接点端子１０２を検出する磁気センサユニット３は、カードリーダ本体２の装着部２０に対して着脱可能に装着されている。従って、カードリーダ１が磁気カードの読み書きのみを行う用途に用いられる場合には、カードリーダ本体２から磁気センサユニット３を取り外すことにより当該用途に必要のない磁気センサ２１を省略して、カードリーダ１を店舗などに導入する導入コストを抑制できる。一方、ＩＣカードに対する処理が必要となった場合には、磁気センサ２１を省略した状態のカードリーダ１に磁気センサユニット３を装着することにより、当該カードリーダ１をＩＣカード対応のカードリーダ１にアップグレードできる。これにより、ＩＣカード対応のカードリーダ１を新たに購入する必要が無くなるので、ＩＣカード対応のカードリーダ１の導入コストを抑制できる。
【００６０】
ここで、磁気センサユニット３は、その係止部６４が装着部２０に設けられた被係止部３３に係止された状態でカードリーダ本体２に装着される。従って、カード搬送路７に対する磁気センサユニット３の位置や姿勢を規定することが容易である。また、磁気センサユニット３では、磁気センサ２１は接着剤８８によって固定部４３に固定されているので、磁気センサ２１をセンサホルダ４２に固定することが容易である。さらに、接着剤８８は、磁気センサ２１のセンサ面２２とは反対の反対面２３に塗布されているので、センサ面２２に接着剤８８が付着してしまうことを防止あるいは抑制できる。
【００６１】
また、本例の磁気センサ２１では、第２励磁コイル４７が発生させる磁界５８により、大気中の砂鉄などが反対面２３に吸引されて付着することがある。大気中の砂鉄などが反対面２３に付着すると、検出コイル４８からの出力が変動するので、ＩＣチップの接点端子１０２を誤検出するという問題がある。このような問題に対して、反対面２３は、磁気センサ２１を固定部４３に固定する接着剤８８で被われている。従って、磁気センサ２１の反対面２３に砂鉄などが付着することはなく、誤検出を防止できる。
【００６２】
また、磁気センサユニット３は、磁気センサ２１が実装された回路基板４１を備え、回路基板４１は、接着剤８８により固定部４３に固定されている。従って、回路基板４１の固定が容易である。
【００６３】
また、磁気センサユニット３では、回路基板４１に取り付けられたシーリング材６０が、センサホルダ４２の後側板部７１とともに、Ｘ１方向の側から基板裏面４１ｂの全体を被う。さらに、シーリング材６０は、磁気センサユニット３が装着部２０に装着されたときに、後側板部７１と、装着部２０の底板部３１との間で弾性変形して当該後側板部７１と底板部３１との間をシールする。従って、磁気センサユニット３がカードリーダ本体２に装着されているときに、センサホルダ４２の後側板部７１の側から基板表面４１ａの側に移動して、磁気センサ２１に付着することを防止或いは抑制できる。
【００６４】
さらに、本例では、後側板部７１が配線用貫通穴８０を備えているが、シーリング材６０が、回路基板４１における一対の基板側面４１ｃのカード搬送路７の側の端縁、および、基板表面４１ａのカード搬送路７の側の端縁においてＹ方向で磁気センサ２１の両側に位置する端縁部分を被う。従って、磁気センサユニット３がカードリーダ本体２に装着されているときに、大気中の鉄粉などが、センサホルダ４２の後側板部７１の配線用貫通穴８０を介して基板裏面４１ｂの側に侵入した場合でも、基板裏面４１ｂの側から基板表面４１ａの側に移動して、磁気センサ２１に付着することを防止或いは抑制できる。
【００６５】
また、本例では、カードリーダ本体２は、被係止部３３として、Ｙ方向で底板部３１を間に挟んだ両側に一対の被係止部３３を備え、磁気センサユニット３のセンサホルダ４２は、係止部６４として、Ｙ方向で磁気センサ２１の固定部４３を間に挟んだ両側に一対の被係止部３３に係止される一対の係止部６４を備える。従って、磁気センサユニット３を装着部２０に装着したときに、カード搬送路７に対する磁気センサ２１の位置や姿勢を規定することが容易である。
【００６６】
さらに、本例では、装着部２０は、磁気センサ２１に対してＸ２方向の側から対向する端板部３２（カード挿入部５の前板部２８）のＺ２方向の端面に段部３５を備える。一方、センサホルダ４２の天井板部６１は、磁気センサ２１の固定部４３のＺ２方向の側からＸ２方向に突出する突出板部分６１ａを備える。そして、磁気センサユニット３がカードリーダ本体２に装着されたときに、センサホルダ４２の突出板部分６１ａは、装着部２０の段部３５に嵌り込む。従って、磁気センサユニット３がカードリーダ本体に装着されているときに、大気中の鉄粉などが、Ｘ２方向の側（カード挿入口６の側）から装着部２０
と磁気センサユニット３との間に入り込んで磁気センサ２１に付着することを防止或いは抑制できる。
【符号の説明】
【００６７】
１…カードリーダ、２…カードリーダ本体、３…磁気センサユニット、４…カード処理部、５…カード挿入部、５ａ…ベゼル部、６…カード挿入口、７…カード搬送路、８…ＩＣ接点ブロック、９…磁気ヘッド、１０…カード搬送機構、１１…搬送ローラ、１２…搬送モータ、１３…駆動力伝達機構、１４…シャッター、１５…ソレノイド、１６…プリヘッド、１８…制御部、２０…装着部、２１…磁気センサ、２２…磁気センサのセンサ面、２３…磁気センサの反対面、２５…カード挿入部の下側部材、２６…カード挿入部の上側部材、２７…上側部材の天井板部、２８…上側部材の前板部、３１…装着部の底板部、３２…装着部の端板部、３３…装着部の被係止部、３４…凹部、３４ａ…底面、３５…段部、３５ａ…端面、３７…突部、４１…回路基板、４１ａ…基板表面、４１ｂ…基板裏面、４１ｃ…基板側面、４２…センサホルダ、４３…固定部、４５…コア体、４６…第１励磁コイル、４７…第２励磁コイル、４８…検出コイル、４９…ハウジング、５０…コア中央部、５１…第１コア端部、５１ａ…第１端面、５２…第２コア端部、５２ａ…第２端面、５４…ハウジングの中央部分、５５…ハウジングの第１突出部分、５５ａ…第１突出部分の先端面、５６…ハウジングの第２突出部分、５６ａ…第２突出部分の先端面、５７…第１磁界、５８…第２磁界、６０…シーリング材、６１…センサホルダの天井板部、６１ａ…天井板部の突出板部分、６２…側板部、６３…突部、６４…係止部、６５…貫通穴、６６…突出板部、７１…後側板部、７２…前側板部、７３…側板部、７７…後側板部の幅広部、７７ａ…幅広部の端面、７８…横リブ、７９…後側板部の後側縦リブ、８０…配線用貫通穴、８２…切欠き部、８３…下側切欠き部分、８４…上側切欠き部分、８６…前側板部の前側縦リブ、８８…接着剤、１００…ＩＣカード、１００ａ…表面、１００ｂ…裏面、１０２…接点端子、Ｃ…接触位置、Ｄ…搬送方向、Ｅ…磁気ストライプの検出位置、Ｆ…接点端子の検出位置、Ｒ…読み書き位置
【図１】
2019066211.tif 000003
【図２】
2019066211.tif 000004
【図３】
2019066211.tif 000005
【図４】
2019066211.tif 000006
【図５】
2019066211.tif 000007
【図６】
2019066211.tif 000008
【図７】
2019066211.tif 000009